(57)【特許請求の範囲】
【請求項１】
内側部材であるキートップと、該内側部材の側面と隙間をあけて対向位置する透明材でなる外側部材でありキートップの側面を目地埋めする装飾フレームとを備えており、装飾フレームにキートップの側面及び隙間を透視し難くする凹凸面でなる光拡散面を形成した外装部品。
【請求項２】
内側部材であるキートップと、該内側部材の側面と隙間をあけて対向位置する透明材でなる外側部材である他のキートップとを備えており、他のキートップに内側部材であるキートップの側面及び隙間を透視し難くする凹凸面でなる光拡散面を形成した外装部品。
【請求項３】
金属又は樹脂でなる内側部材の側面にゲート残部を有する請求項１又は請求項２記載の外装部品。
【請求項４】
金属又は樹脂でなり側面にゲート残部を有する内側部材と、該内側部材の側面と隙間をあけて対向位置する透明材でなる外側部材とを備えており、外側部材に内側部材の側面及び隙間を透視し難くする凹凸面でなる光拡散面を形成した外装部品。
【請求項５】
金属又は樹脂でなり側面にゲート残部を有する内側部材であるキートップと、該内側部材の側面と隙間をあけて対向位置する透明材でなる外側部材でありキートップを表出させる操作開口を有する筐体とを備えており、筐体にキートップの側面及び隙間を透視し難くする凹凸面でなる光拡散面を形成した外装部品。
【請求項６】
中央に位置する第１キートップと、該第１キートップの外側に位置する透明材でなる第２キートップと、第１キートップ及び第２キートップが表出する操作開口を有する透明材でなる筐体と、を備えており、
第２キートップに第１キートップの側面及び隙間を透視し難くする凹凸面でなる光拡散面を形成し、筐体に第２キートップの側面及び隙間を透視し難くする凹凸面でなる光拡散面を形成した外装部品。
【請求項７】
キートップと、該キートップの側面と隙間をあけて対向位置する透明材でなる外側部材とを備えており、外側部材にキートップの側面及び隙間を透視し難くする凹凸面でなる光拡散面を形成したキーシート。
【請求項８】
金属又は樹脂でなるキートップの側面にゲート残部を有する請求項７記載のキーシート。
【請求項９】
平面視で前記ゲート残部と前記外側部材を重なるように配置し、前記凹凸面を外側部材のゲート残部と向かい合う面に形成した請求項８記載のキーシート。
【請求項１０】
キートップを配置するベースシートを備えており、外側部材が該ベースシートに配置されてキートップの側面を目地埋めする装飾フレームである請求項７〜請求項９何れか１項記載のキーシート。
【請求項１１】
外側部材が外側キートップである請求項７〜請求項９何れか１項記載のキーシート。
【発明の詳細な説明】
【技術分野】
【０００１】
本発明は、携帯電話機、リモコン、デジタルカメラ、ＡＶ機器、車載電装機器等の各種電子機器に用いられる電子部品の外装部品に関し、特に入力操作を行うキーシートに関するものである。
【背景技術】
【０００２】
携帯電話やＡＶ機器等の各種電子機器には、筐体やスイッチなど種々の外装部品が機能性や操作性を考慮して組み込まれている。このうち入力操作を行うスイッチは、電子機器の筐体に形成された操作開口から、操作釦（キートップ）を表出させる構造のものが多い。具体的には複数の光源や接点スイッチ、素子、配線等を配置した基板に、複数のキートップをベースシートの操作面となる表面に固着した一体構造のキーシートを載せ、そのキーシートの上方からキートップを表出する操作開口を形成した筐体を被せて組み込んでいるのが通例である。そして、入力操作の際に可動するキートップの側面には、操作開口との間に両者が接触しないように隙間が形成されている。
【０００３】
各種電子機器は年々多機能化し、スイッチによる入力操作においても、単一の機能選択の入力操作に加え、表示画面の切替えやカーソルなどの移動操作、及びこれらの決定操作など、多方向入力操作が行われるようになっている。
【０００４】
このような多方向入力操作を行うキートップの一従来例を図１１，図１２で示す。ゴム状弾性体でなるベースシート１の表面には、相互に係合する２つの硬質樹脂でなるキートップ２，３が固着されている。このうち外側のキートップ２は、移動操作を入力するものであって、平面視で略円環状に形成されている。外周面２ａには外方に突出する環状の鍔部２ｂが設けられ、キートップ２の脱落を防止するために筐体４と係合している。内周面２ｃには下端に環状の溝部２ｄが設けられ、その内側に配置するキートップ３の脱落を防止するため、キートップ３の環状の鍔部３ｂと係合している。このキートップ３は、決定操作を入力するものであって、平面視で略円形状に形成されている（特許文献１）。
【特許文献１】特開２００３−２２９０３５号公報
【発明の開示】
【発明が解決しようとする課題】
【０００５】
こうした多方向入力操作を行うキートップ２は、透明な硬質樹脂で構成することがある。キートップ２を透明にすれば、裏面にめっき層や印刷層などの装飾層を形成することによる高級感のある加飾や、バックライトによりキートップ２が照光する照光機能を付加することができるからである。しかしながら、キートップ２が透明であるとこのキートップ２を通して、非透明ならば外観上隠れる電子機器の外装部品の部分や他部材を透視することができてしまう。このため、そういった外装部品の部分や他部材に、加工傷などの外観上の不具合があった場合、操作者がその加工傷を視認できてしまい、キートップ２の見映えを損なうことがある。つまり、キートップ２を透明な硬質樹脂で形成した場合、キートップ３の側面３ａや鍔部３ｂに付いた加工傷がキートップ２を通して操作者に見えてしまい、見映えが悪いという問題が起こる。
【０００６】
また、キートップ３に加工傷がない場合でも、溶融樹脂を注入する射出成形金型で製造したキートップ３では、金型の注入口が設けられる鍔部３ｂの外周面３ｃに外向きに突出するゲート残部３ｄが残存してしまう。すると、透明なキートップ２を通して残存するゲート残部３ｄが操作者に見えてしまい、見映えが悪くなってしまうという問題が起こる。なお、こうした問題は筐体４と外側のキートップ２との関係でも起こりうる。すなわち筐体４あるいは操作開口４ａの孔縁周辺が透明である場合には、透明な筐体４を通してキートップ２の外観上の不具合を視認することができるからである。
【０００７】
以上のような従来技術を背景としてなされたのが本発明である。すなわち本発明は、非透明ならば外観上隠れる電子機器に備える部材の外観上の不具合を、透明であっても視認し難くすることのできる外装部品及びキーシートの提供を目的としている。
【課題を解決するための手段】
【０００８】
上記目的を達成すべく本発明は以下のように構成される。
【０００９】
すなわち本発明は、内側部材と、該内側部材の側面と隙間をあけて対向位置する透明材でなる外側部材とを備えており、外側部材に内側部材の側面及び隙間を透視し難くする凹凸面でなる光拡散面を形成した外装部品を提供する。
【００１０】
本発明によれば、光拡散面が光を乱反射させるため、透視し難い曇り面となっている。このため透明な外側部材の光拡散面を通して、内側部材の側面及び内側部材と外側部材の隙間が明確に視認できなくなる。よって操作者が内側部材の外観上の不具合を透明な外側部材越しに視認して見映えを損なうようなことを防止できる。
【００１１】
また本発明では、電子機器の内部に配置した光源によって外側部材を照光すると、光拡散面が光源の光を乱反射するため、外側部材が柔らかな照光を実現することができる。
【００１２】
本発明は前記外装部品について、金属又は樹脂でなる内側部材の側面にゲート残部を有するものである。
【００１３】
本発明では、内側部材の側面にゲート残部を有している。しかし光拡散面によって透明な外側部材を通して、内側部材のゲート残部が明確に視認できなくなる。よって操作者が内側部材のゲート残部を透明な外側部材越しに視認して見映えを損なうようなことを防止できる。
【００１４】
本発明は前記外装部品について、内側部材をキートップとし、外側部材をキートップを表出させる操作開口を有する筐体としている。光拡散面が光を乱反射するため透視し難い曇り面であることから、透明な筐体の光拡散面を通して、キートップの側面及びキートップと筐体の隙間を明確に視認できなくなる。よって操作者がキートップの外観上の不具合を透明な筐体越しに視認して見映えを損なうようなことを防止でき、また筐体の光拡散面による柔らかな照光を実現できる。
【００１５】
本発明は前記外装部品について、内側部材をキートップとし、外側部材をキートップの側面を目地埋めする装飾フレームとしている。つまり、筐体と別体でキートップの側面形状と相対形状の装飾フレームに前述の筐体と同様な光拡散面を形成してある。このため透明な装飾フレームの光拡散面を通して、キートップの側面及びキートップと装飾フレームの隙間を明確に視認できなくなる。よって操作者がキートップの外観上の不具合を透明な装飾フレーム越しに視認して見映えを損なうようなことを防止でき、また装飾フレームの光拡散面による柔らかな照光を実現できる。
【００１６】
本発明は前記外装部品について、内側部材をキートップとし、外側部材を他のキートップとしている。つまり、他のキートップに前述の筐体と同様な光拡散面を形成してある。このため透明な他のキートップの光拡散面を通して、キートップの側面及びキートップと他のキートップの隙間を明確に視認できなくなる。よって操作者がキートップの外観上の不具合を透明な他のキートップ越しに視認して見映えを損なうようなことを防止でき、また他のキートップの光拡散面による柔らかな照光を実現できる。
【００１７】
また本発明は、中央に位置する第１キートップと、第１キートップの外側に位置する透明材でなる第２キートップと、第１キートップ及び第２キートップが表出する操作開口を有する透明材でなる筐体と、を備えており、第２キートップに第１キートップの側面及び隙間を透視し難くする凹凸面でなる光拡散面を形成し、筐体に第２キートップの側面及び隙間を透視し難くする凹凸面でなる光拡散面を形成した外装部品を提供する。
【００１８】
本発明では、透明な第２キートップに第１キートップの側面及び隙間を透視し難くする凹凸面でなる光拡散面を形成し、透明な筐体に第２キートップの側面及び隙間を透視し難くする凹凸面でなる光拡散面を形成している。これらの光拡散面が光を乱反射することで透視し難い曇り面となっているため、透明な第２キートップの光拡散面を通して、第１キートップの側面及び第１キートップと第２キートップとの隙間を明確に視認できなくなる。よって操作者は第１キートップの外観上の不具合を透明な第２キートップ越しに視認して、見映えを損なうようなことを防止できる。同様にして操作者は、第２キートップの外観上の不具合を透明な筐体の光拡散面越しに視認して、見映えを損なうようなことを防止できる。
【００１９】
また電子機器の内部に配置した光源によって第２キートップ及び筐体を照光すると、光拡散面が光源の光を乱反射するため、第２キートップ及び筐体が柔らかな照光を実現することができる。
【００２０】
また本発明は、キートップと、キートップの側面と隙間をあけて対向位置する透明材でなる外側部材とを備えており、外側部材にキートップの側面及び隙間を透視し難くする凹凸面でなる光拡散面を形成したキーシートを提供する。
【００２１】
本発明のキーシートでは、光拡散面が光を乱反射させて透視し難い曇り面となっている。このため透明な外側部材の光拡散面を通して、キートップの側面及びキートップと外側部材の隙間が明確に視認できなくなる。よって操作者がキートップの外観上の不具合を透明な外側部材越しに視認して見映えを損なうようなことを防止できる。
【００２２】
また電子機器の内部に配置した光源によって外側部材を照光すると、光拡散面が光源の光を乱反射するため、外側部材が柔らかな照光を実現することができる。
【００２３】
本発明は前記キーシートについて、金属又は樹脂でなるキートップの側面にゲート残部を有するものである。
【００２４】
キートップの側面にゲート残部を有している場合でも、本発明ならば外側部材に光拡散面を形成してあるため、透明な外側部材を通してキートップのゲート残部が明確に視認できなくなる。よって操作者がキートップのゲート残部を透明な外側部材越しに視認して見映えを損なうようなことを防止できる。
【００２５】
本発明は前記キーシートについて、キートップを配置するベースシートを備えており、外側部材をベースシートに配置されてキートップの側面を目地埋めする装飾フレームとしている。光拡散面は光を乱反射するため透視し難い曇り面となっている。このため透明な装飾フレームの光拡散面を通して、キートップの側面及びキートップと装飾フレームの隙間を明確に視認できなくなる。よって操作者がキートップの外観上の不具合を透明な装飾フレーム越しに視認して見映えを損なうようなことを防止でき、また装飾フレームの光拡散面による柔らかな照光を実現できる。
【００２６】
本発明は前記キーシートについて、外側部材を外側キートップとしている。つまり、外側キートップに前述の装飾フレームと同様な光拡散面を形成してある。このため、透明な外側キートップの光拡散面を通して、キートップの側面及びキートップと外側キートップの隙間を明確に視認できなくなる。よって操作者がキートップの外観上の不具合を透明な外側キートップ越しに視認して見映えを損なうようなことを防止でき、また外側キートップの光拡散面による柔らかな照光を実現できる。
【発明の効果】
【００２７】
本発明の外装部品によれば、光拡散面は光を乱反射するため、透視し難い曇り面となっている。このため透明な外側部材の光拡散面を通して、内側部材の側面及び内側部材と外側部材の隙間が明確に視認できなくなる。よって操作者が内側部材の外観上の不具合を透明な外側部材越しに視認して、見映えを損なうようなことを防止できる。したがって、外装部品として透明な部材を組み込むことができ、差別化する加飾の実現が可能となる。
【００２８】
また本発明によれば、電子機器の内部に配置した光源によって外側部材を照光すると、光拡散面が光源の光を乱反射するため、外側部材が柔らかな照光を実現することできる。
【００２９】
本発明のキーシートによれば、前述の外装部品と同様に、透明な外側部材の光拡散面を通して、キートップの側面及びキートップと外側部材の隙間が明確に視認できなくなる。よって操作者がキートップの外観上の不具合を透明な外側部材越しに視認して見映えを損なうようなことを防止できる。したがって、キーシートとして透明な部材を組み込むことができ、差別化する加飾の実現が可能となる。また電子機器の内部に配置した光源によって外側部材を照光すると、前述の外装部品と同様に、外側部材が柔らかな照光を実現することができる。
【発明を実施するための最良の形態】
【００３０】
以下、本発明の実施形態の例について図面を参照しつつ説明する。なお、各実施形態で共通する構成については、同一符号を付して重複説明を省略する。
【００３１】
以下の実施形態では、図１で示すように、携帯電話機５を構成する筐体４及びキートップ２，３，７に本発明を適用する例を説明する。なお、キートップ２，３，７は、ベースシート１と伴にキーシート６を構成している。
【００３２】
第１実施形態〔図１〜図３〕
携帯電話機５には、筐体４と基板８との間にキーシート６が組み込まれており、本実施形態における「外装部品」は、そのキーシート６のベースシート１に接着固着したキートップ７と筐体４とを備えている。
【００３３】
キートップ７は、硬質樹脂で略円柱形状に形成されており、側面７ａの下端には外方へ突出する環状の鍔部７ｂが形成されている。この鍔部７ｂは、キートップ７の脱落を防止するために筐体４の操作開口４ａの口縁と係合する部分である。その外周面７ｃには、外向きに突出する２箇所のゲート残部７ｄが残されている。キートップ７の表面には金属層９が設けられ、底面はベースシート１の台座部１ａに接着されている。
【００３４】
ベースシート１は、シリコーンゴムなどの熱硬化性エラストマーや熱可塑性エラストマーなどのゴム状弾性体で形成されている。その操作側となる表面にはキートップ７を固着する台座部１ａが形成されている。基板対向面となる裏面には台座部１ａに対応して基板８の金属皿ばね１０を押圧する押し子部１ｂが突設されている。
【００３５】
筐体４は、少なくともキートップ７を表出する円形状の操作開口４ａの口縁周辺部分が透明な硬質樹脂で形成されている。基板対向面となる筐体４の内面４ｂには、操作開口４ａの周囲に円環状の凹凸面１１が形成されている。この凹凸面１１の内縁１１ａは操作開口４ａの縁と一致し、外縁１１ｂは対向するキートップ７のゲート残部７ｄより外方にやや大きく広がって形成されている。
【００３６】
基板８には、金属皿ばね１０、ＬＥＤ等の光源１２等を配置してある。金属皿ばね１０はキートップ７の押下に伴い入力が行われる接点スイッチであり、光源１２はキーシート６及び筐体４を照光するものである。
【００３７】
ここで、凹凸面１１について説明する。
【００３８】
凹凸面１１は、光を乱反射する「光拡散面」として機能する。その凹凸の大きさは１μｍ〜１００μｍであり、凹凸の形状は鋸歯状、球面状に形成されているものを使用することができる。
【００３９】
筐体４に凹凸面１１を成形するには、金型転写方法を利用することができる。金型転写方法は、筐体４を成形する金型の所定面、即ち筐体４の内面４ｂ側を成形する金型面の操作開口４ａの周囲の面を予め凹凸形状に加工しておき、筐体４の成形時に、筐体４に凹凸面１１を転写する方法である。この方法は、凹凸面の形状や大きさを正確に反復でき、成形作業工程も短く効率的である。なお成形金型の所定面を凹凸形状に加工するには、ブラスト処理が簡単であり、ホワイトアルミナ系の研削材を吹き付けて行う。以上のような金型転写方法に替わる他の方法としては、成形した筐体４に治具の凹凸面を加熱押圧する治具転写方法、成形した筐体４に充填剤を配合した塗料を塗装又は印刷して凹凸表面の塗膜を塗着する方法等がある。
【００４０】
次に、本実施形態による「外装部品」としてのキートップ７及び筐体４並びにキーシート６の作用・効果について説明する。
【００４１】
筐体４が透明であると「外装部品」としてのキートップ７の側面７ａやベースシート１が見えてしまい見映えを損ねてしまう。しかし筐体４の内面４ｂに形成した凹凸面１１が光を乱反射する光拡散面として機能して透視し難い曇り面となることから、透明な筐体４を通して、キートップ７の鍔部７ｂ、ゲート残部７ｄ、ベースシート１を明確に視認できなくなる。よって操作者が、キートップ７のゲート残部７ｄ等を筐体４越しに視認して、携帯電話機５の見映えを損なうようなことを防止できる。
【００４２】
また、携帯電話機５の内部に配置した光源１２によって筐体４を照光すると、凹凸面１１が光源１２の光を乱反射するため、操作開口４ａの周囲が柔らかな照光を実現することができる。
【００４３】
第２実施形態〔図１，図４，図５〕
第２実施形態の「外装部品」としての筐体４及びキーシート６が、第１実施形態のそれらと異なるのは、キートップ７に替わるキートップ２，３の構成である。残余の構成は第１実施形態と同じである。
【００４４】
このうち外側のキートップ２は、透明な硬質樹脂でなり、平面視で略円環状に形成されている。外周面２ａには、外方に突出する環状の鍔部２ｂが設けられ、キートップ２の脱落を防止するために筐体４と係合している。この鍔部２ｂには、外向きに突出する２箇所のゲート残部２ｅが残されている。中央孔を形成する内周面２ｃには、下端に環状の溝部２ｄが設けられ、その内側に配置するキートップ３の脱落を防止するため、キートップ３の鍔部３ｂと係合している。この溝部２ｄは、全面が凹凸面１１として形成されている。ベースシート１の台座部１ａに接着される底面２ｆには、方向を示す記号を抜いた金属層９が設けられている。
【００４５】
キートップ３は、透明な硬質樹脂でなり、平面視で略円形状に形成されている。側面３ａの下端には、環状の鍔部３ｂが設けられている。この鍔部３ｂの外周面３ｃには、外向きに突出する２箇所のゲート残部３ｄが残されている。ベースシート１の台座部１ａに接着される底面３ｅには、金属層９が設けられている。
【００４６】
筐体４には、第１実施形態と同様に、透明な硬質樹脂でなり、キートップ２，３を表出する円形状の操作開口４ａが形成されている。操作開口４ａの基板側の口縁には、キートップ２の鍔部２ｂと係合する環状の溝部４ｃが設けられている。この溝部４ｃの全面に凹凸面１１が形成されている。
【００４７】
次に、第２実施形態による「外装部品」としてのキートップ２，３及び筐体４並びにキーシート６の作用・効果について説明する。
【００４８】
第１実施形態と同様に、筐体４の溝部４ｃに形成した凹凸面１１が光を乱反射する透視し難い曇り面であるため、透明な筐体４を通して、外側のキートップ２の鍔部２ｂ、ゲート残部２ｅ、ベースシート１及び外側のキートップ２と筐体４との隙間を明確に視認できなくなる。よって操作者が、外側のキートップ２のゲート残部２ｅ等を筐体４越しに視認して、見映えを損なうようなことを防止できる。
【００４９】
外側のキートップ２の溝部２ｄに凹凸面１１を形成しているため、透明なキートップ２を通して、内側のキートップ３の鍔部３ｂ、ゲート残部３ｄ、ベースシート１及びキートップ２とキートップ３との隙間を明確に視認できなくなる。よって操作者が、内側のキートップ３のゲート残部３ｄ等を外側のキートップ２越しに視認して、見映えを損なうようなことを防止できる。
【００５０】
また、携帯電話機５の内部に配置した光源１２によって筐体４及びキートップ２を照光すると、それぞれの凹凸面１１によって、筐体４の操作開口４ａの周囲及びキートップ２の中央孔の周囲が柔らかな照光を実現することができる。
【００５１】
第３実施形態及び第４実施形態では、図６で示すように、携帯電話機５の筐体４の内部に組み込むキーシート６に本発明を適用する例を説明する。このキーシート６は、キートップ２，３，７、装飾フレーム１３、ベースシート１を備えている。
【００５２】
第３実施形態〔図６〜図８〕
第３実施形態における「外装部品」は、そのキーシート６のベースシート１に接着固着したキートップ７と装飾フレーム１３とを備えている。
【００５３】
キートップ７は、透明な硬質樹脂でなり、平面視で楕円形状に形成されている。隣接する平面視で矩形状のキートップとは非相対形状となっており、両者間を目地埋めしキートップ７の外側を囲むように装飾フレーム１３を設けている。キートップ７の側面７ａの下端には外方へ突出する環状の鍔部７ｂが形成されている。この鍔部７ｂは、キートップ７の脱落を防止するために装飾フレーム１３と係合する部分であり、外周面７ｃには、外向きに突出する２箇所のゲート残部７ｄが残されている。ベースシート１の台座部１ａに接着される底面７ｅには、抜き文字状の遮光性印刷層１４が設けられている。
【００５４】
装飾フレーム１３は、透明な硬質樹脂でなる平面視で環形状であり、内縁は楕円形で外縁が矩形に形成されている。内周面１３ａには、下端に環状の溝部１３ｂが設けられ、この溝部１３ｂの全面が凹凸面１１に形成されている。ベースシート１に接着される底面１３ｃには、透光性印刷層１４が設けられている。
【００５５】
次に、第３実施形態による「外装部品」としてのキートップ７及び装飾フレーム１３並びにキーシート６の作用・効果について説明する。
【００５６】
装飾フレーム１３の溝部１３ｂに形成した凹凸面１１が光を乱反射する透視し難い曇り面であるため、透明な装飾フレーム１３を通して、キートップ７の鍔部７ｂ、ゲート残部７ｄ、ベースシート１及びキートップ７と装飾フレーム１３との隙間を明確に視認できなくなる。よって操作者が、キートップ７のゲート残部７ｄ等を装飾フレーム１３越しに視認して、見映えを損なうようなことを防止できる。
【００５７】
また、携帯電話機５の内部に配置した光源１２によって装飾フレーム１３を照光すると、凹凸面１１によって、装飾フレーム１３の内縁の周囲が柔らかな照光を実現することができる。
【００５８】
第４実施形態〔図６，図９，図１０〕
第４実施形態の「外装部品」としてのキーシート６が、第３実施形態と異なるのは、キートップ７及び装飾フレーム１３に替わるキートップ２，３の構成である。残余の構成は第３実施形態と同じである。
【００５９】
このうち外側のキートップ２は、透明な硬質樹脂でなり、平面視で４分割された略円環状に形成されている。キートップ２の外周面２ａには、外方に突出する鍔部２ｂが設けられ、キートップ２の脱落を防止するために不透明な装飾フレーム１３と係合している。キートップ２の中央孔を形成する内周面２ｃは、上端より下端が外方に広がる傾斜面として形成され、その内側に配置するキートップ３の脱落を防止するため、キートップ３と係合している。この内周面２ｃは、全面が凹凸面１１に形成されている。ベースシート１の台座部１ａに接着される底面２ｆには、方向を示す記号を抜いた金属層９が設けられている。
【００６０】
キートップ３は、硬質樹脂で略円柱形状に形成されている。側面３ａは、上端より下端が外方に広がる傾斜面として形成され、下端には外向きに突出する２箇所のゲート残部３ｄが残されている。キートップ３の表面には金属層９が設けられ、底面３ｅはベースシート１の台座部１ａに接着されることなく載置されている。
【００６１】
次に、第４実施形態による「外装部品」としてのキートップ２，３及びキーシート６の作用・効果について説明する。
【００６２】
キートップ２の内周面２ｃに形成した凹凸面１１が光を乱反射する透視し難い曇り面であるため、透明なキートップ２を通して、キートップ３の側面３ａ、ゲート残部３ｄ、ベースシート１及びキートップ２とキートップ３の隙間を明確に視認できなくなる。よって操作者が、キートップ３のゲート残部３ｄ等をキートップ２越しに視認して、見映えを損なうようなことを防止できる。
【００６３】
また携帯電話機５の内部に配置した光源１２によってキートップ２を照光すると、凹凸面１１によって、キートップ２の中央孔の周囲が柔らかな照光を実現することができる。
【図面の簡単な説明】
【００６４】
【図１】第１実施形態及び第２実施形態のキーシート及び筐体を備える携帯電話機の外観図。
【図２】第１実施形態のキーシート及び筐体の要部拡大平面図。
【図３】図２のＳＡ−ＳＡ線断面図。
【図４】第２実施形態のキーシート及び筐体の要部拡大平面図。
【図５】図４のＳＢ−ＳＢ線断面図。
【図６】第３実施形態及び第４実施形態のキーシートを備える携帯電話機の外観図。
【図７】第３実施形態のキーシートの要部拡大平面図。
【図８】図７のＳＣ−ＳＣ線断面図。
【図９】第４実施形態のキーシートの要部拡大平面図。
【図１０】図９のＳＤ−ＳＤ線断面図。
【図１１】一従来例のキーシートの要部拡大説明図。
【図１２】一従来例のキーシートの要部拡大断面図。
【符号の説明】
【００６５】
１    ベースシート
１ａ  台座部
１ｂ  押し子部
２    キートップ（外側部材、内側部材、外装部品）
２ａ  外周面
２ｂ  鍔部
２ｃ  内周面
２ｄ  溝部
２ｅ  ゲート残部
２ｆ  底面
３    キートップ（内側部材、外装部品）
３ａ  側面
３ｂ  鍔部
３ｃ  外周面
３ｄ  ゲート残部
３ｅ  底面
４    筐体（外側部材、外装部品）
４ａ  操作開口
４ｂ  内面
４ｃ  溝部
５    携帯電話機
６    キーシート
７    キートップ（内側部材、外装部品）
７ａ  側面
７ｂ  鍔部
７ｃ  外周面
７ｄ  ゲート残部
７ｅ  底面
８    基板
９    金属層
１０    金属皿ばね
１１    凹凸面
１１ａ  内縁
１１ｂ  外縁
１２    光源
１３    装飾フレーム（外側部材、外装部品）
１３ａ  内周面
１３ｂ  溝部
１３ｃ  底面
１４    印刷層
【図１】
0004731277.tif 000002
【図２】
0004731277.tif 000003
【図３】
0004731277.tif 000004
【図４】
0004731277.tif 000005
【図５】
0004731277.tif 000006
【図６】
0004731277.tif 000007
【図７】
0004731277.tif 000008
【図８】
0004731277.tif 000009
【図９】
0004731277.tif 000010
【図１０】
0004731277.tif 000011
【図１１】
0004731277.tif 000012
【図１２】
0004731277.tif 000013